(57)【要約】【課題】ラッピング対象物にリボン掛けおよびリボン結びをするのに必要となるリボンテープの長さを容易に求めることができるテープ長算出プログラム等を提供する。【解決手段】ラッピング対象物にリボン掛けおよびリボン結びをするのに必要となるリボンテープの長さである必要テープ長のうち、ユーザーにより入力されたラッピング対象物の寸法に基づいて、リボン掛けに必要となるリボンテープの長さであるリボン掛け長を取得するステップと、ユーザーにより入力されたリボン結びの種類に基づいて、リボン結びに必要となるリボンテープの長さであるリボン結び長を読み出すステップと、取得したリボン掛け長および読み出したリボン結び長に基づいて、必要テープ長を算出するステップと、をコンピューターに実行させる。【選択図】図８
2014180836.tif 000002
【特許請求の範囲】
【請求項１】
ラッピング対象物にリボン掛けおよびリボン結びをするのに必要となるリボンテープの長さである必要テープ長のうち、リボン掛けに必要となる前記リボンテープの長さであるリボン掛け長を取得する掛け長取得部と、
前記必要テープ長のうち、リボン結びに必要となる前記リボンテープの長さであるリボン結び長を記憶した結び長記憶部と、
取得された前記リボン掛け長および記憶された前記リボン結び長に基づいて、前記必要テープ長を算出する必要テープ長算出部と、
を備えたことを特徴とするテープ長算出装置。
【請求項２】
直方体状である前記ラッピング対象物の幅、奥行きおよび高さの３辺のうち、前記リボンテープがリボン掛けされる箇所に対応した少なくとも２辺の寸法を取得する寸法取得部を、さらに備え、
前記掛け長取得部は、取得された前記寸法に基づいて、前記リボン掛け長を算出することを特徴とする請求項１に記載のテープ長算出装置。
【請求項３】
前記ラッピング対象物に対するリボン掛けの種類に関する掛け方情報を取得する掛け方情報取得部と、
前記掛け方情報と、前記寸法に対する前記リボン掛け長の係数と、を関連付けた係数データを記憶した係数記憶部を、さらに備え、
前記掛け長取得部は、取得された前記掛け方情報に関連付けられた前記リボン掛け長の係数および取得された前記寸法に基づいて、前記リボン掛け長を算出することを特徴とする請求項２に記載のテープ長算出装置。
【請求項４】
前記掛け方情報と、前記ラッピング対象物の幅、奥行きおよび高さの３辺のうち前記リボン掛け長を算出するために必要な辺である必要辺と、を関連付けた必要辺データを記憶した必要辺記憶部を、さらに備え、
前記寸法取得部は、前記寸法をユーザーに入力させる寸法入力画面を表示する表示部を、有し、取得された前記掛け方情報に関連付けられた前記必要辺に基づいて、ユーザーに入力させる辺を変更した前記寸法入力画面を前記表示部に表示することを特徴とする請求項３に記載のテープ長算出装置。
【請求項５】
前記ラッピング対象物に対するリボン結びの種類に関する結び方情報を取得する結び方情報取得部を、さらに備え、
前記結び長記憶部は、前記リボン結び長を、前記結び方情報と関連付けた結び長データを記憶しており、
前記必要テープ長算出部は、取得された前記結び方情報に関連付けられた前記リボン結び長に基づいて、前記必要テープ長を算出することを特徴とする請求項１ないし４のいずれかに記載のテープ長算出装置。
【請求項６】
請求項１ないし５のいずれかに記載のテープ長算出装置と、
繰出し可能にセットされた前記リボンテープを、繰り出して送るテープ送り部と、
算出された前記必要テープ長の前記リボンテープを送るように、前記テープ送り部を制御する制御部と、
送られていく前記リボンテープに対し、印刷を行う印刷部と、
を備えたことを特徴とするテープ印刷装置。
【請求項７】
コンピューターが、
ラッピング対象物にリボン掛けおよびリボン結びをするのに必要となるリボンテープの長さである必要テープ長のうち、リボン掛けに必要となる前記リボンテープの長さであるリボン掛け長を取得し、
リボン結びに必要となる前記リボンテープの長さであるリボン結び長を記憶した結び長記憶部から前記リボン結び長を読み出し、
取得した前記リボン掛け長および読み出した前記リボン結び長に基づいて、前記必要テープ長を算出すること特徴とするテープ長算出方法。
【請求項８】
請求項７に記載のテープ長算出方法を、コンピューターに実行させるためのテープ長算出プログラム。
【発明の詳細な説明】
【技術分野】
【０００１】
本発明は、ラッピング対象物にリボン掛けおよびリボン結びをするのに必要となるリボンテープの長さを算出するテープ長算出装置、該テープ長算出装置を備えたテープ印刷装置、テープ長算出方法およびテープ長算出プログラムに関するものである。
【背景技術】
【０００２】
従来、ラッピング対象物にリボン掛けおよびリボン結びをするためのリボンテープに、メッセージ等を印刷可能なテープ印刷装置が知られている（特許文献１参照）。また、ユーザーにより入力された長さのテープに印刷を行う機能（定長印刷機能）を備えたテープ印刷装置が知られている（特許文献２参照）。
【先行技術文献】
【特許文献】
【０００３】
【特許文献１】特開２０１１−４６０４２号公報
【特許文献２】特開２００９−１０１５２７号公報
【発明の概要】
【発明が解決しようとする課題】
【０００４】
従来のテープ印刷装置では、ユーザーがリボン掛けおよびリボン結びに必要な長さのリボンテープを得ようとする場合、ユーザーによりリボン掛けおよびリボン結びに必要なリボンテープの長さの推測値が入力され、定長印刷機能により入力された長さのリボンテープに印刷を行っていた。リボン掛けに必要なリボンテープの長さについては、単純なリボン掛けであれば、ユーザーがラッピング対象物の寸法を測定することで推測可能な場合もある。しかしながら、リボン結びに必要なリボンテープの長さについては、特にラッピングにあまり慣れていないユーザーの場合、推測困難である。リボン掛けおよびリボン結びに必要なリボンテープの長さを確認するためのメジャーも用意されているが、そのメジャーを用いて実際にリボン掛けおよびリボン結びをする必要があるため、より容易な方法が求められていた。
【０００５】
本発明は、ラッピング対象物にリボン掛けおよびリボン結びをするのに必要となるリボンテープの長さを容易に求めることができるテープ長算出装置、該テープ長算出装置を備えたテープ印刷装置、テープ長算出方法およびテープ長算出プログラムを提供することを課題としている。
【課題を解決するための手段】
【０００６】
本発明のテープ長算出装置は、ラッピング対象物にリボン掛けおよびリボン結びをするのに必要となるリボンテープの長さである必要テープ長のうち、リボン掛けに必要となるリボンテープの長さであるリボン掛け長を取得する掛け長取得部と、必要テープ長のうち、リボン結びに必要となるリボンテープの長さであるリボン結び長を記憶した結び長記憶部と、取得されたリボン掛け長および記憶されたリボン結び長に基づいて、必要テープ長を算出する必要テープ長算出部と、を備えたことを特徴とする。
【０００７】
この構成によれば、必要テープ長算出部が、掛け長取得部により取得されたリボン掛け長および結び長記憶部に記憶されたリボン結び長に基づいて、必要テープを算出する。このため、ユーザーがリボン結び長を推測困難な場合でも、掛け長取得部にリボン掛け長を取得させることで、必要テープ長を容易に求めることができる。
【０００８】
この場合、直方体状であるラッピング対象物の幅、奥行きおよび高さの３辺のうち、リボンテープがリボン掛けされる箇所に対応した少なくとも２辺の寸法を取得する寸法取得部を、さらに備え、掛け長取得部は、取得された寸法に基づいて、リボン掛け長を算出することが好ましい。
【０００９】
この構成によれば、掛け長取得部が、寸法取得部により取得されたラッピング対象物の寸法に基づいて、リボン掛け長を算出する。このため、ユーザーがリボン掛け長を推測困難な場合でも、寸法取得部にラッピング対象物の寸法を取得させることで、リボン掛け長を容易に求めることができる。
【００１０】
この場合、ラッピング対象物に対するリボン掛けの種類に関する掛け方情報を取得する掛け方情報取得部と、掛け方情報と、寸法に対するリボン掛け長の係数と、を関連付けた係数データを記憶した係数記憶部を、さらに備え、掛け長取得部は、取得された掛け方情報に関連付けられたリボン掛け長の係数および取得された寸法に基づいて、リボン掛け長を算出することが好ましい。
【００１１】
ラッピング対象物に対するリボン掛けの種類が異なると、ラッピング対象物の寸法は同じでも、リボン掛け長は異なることになる。
この点、本構成によれば、掛け長取得部が、掛け方情報に関連付けられたリボン掛け長の係数およびラッピング対象物の寸法に基づいて、リボン掛け長を算出する。このため、掛け方情報およびラッピング対象物の寸法を取得させることで、当該掛け方情報（リボン掛けの種類）に対応したリボン掛け長を容易に求めることができる。したがって、ユーザーにとっては、複数種のリボン掛けを行う場合にも、種類毎に適切な必要テープ長を求めることができ、利便性を向上させることができる。
【００１２】
この場合、掛け方情報と、ラッピング対象物の幅、奥行きおよび高さの３辺のうちリボン掛け長を算出するために必要な辺である必要辺と、を関連付けた必要辺データを記憶した必要辺記憶部を、さらに備え、寸法取得部は、寸法をユーザーに入力させる寸法入力画面を表示する表示部を、有し、取得された掛け方情報に関連付けられた必要辺に基づいて、ユーザーに入力させる辺を変更した寸法入力画面を表示部に表示することが好ましい。
【００１３】
例えば、リボン掛けの種類が十字掛け（クロス掛け）の場合、リボン掛け長を算出するためには、ラッピング対象物の幅、奥行きおよび高さの３辺の寸法が必要となる。これに対し、リボン掛けの種類が横一文字掛けの場合、リボン掛け長を算出するためには、ラッピング対象物の幅および高さの２辺の寸法で足りる。そのため、横一文字掛けの場合には、３辺全ての寸法をユーザーに入力させると、奥行きの寸法入力が無駄となってしまう。
この点、本構成によれば、寸法取得部が、リボン掛けの種類に応じて、リボン掛け長を算出するために必要な辺だけユーザーに入力させるように、寸法入力画面を表示部に表示する。このため、ラッピング対象物の幅、奥行きおよび高さの３辺の寸法のうち、リボン掛け長を算出するために必要な辺の寸法のみ、ユーザーに入力させることができ、ユーザーの入力の手間を省くことができる。
【００１４】
この場合、ラッピング対象物に対するリボン結びの種類に関する結び方情報を取得する結び方情報取得部を、さらに備え、結び長記憶部は、リボン結び長を、結び方情報と関連付けた結び長データを記憶しており、必要テープ長算出部は、取得された結び方情報に関連付けられたリボン結び長に基づいて、必要テープ長を算出することが好ましい。
【００１５】
ラッピング対象物に対するリボン結びの種類が異なると、リボン結び長は異なることになる。
この点、本構成によれば、必要テープ長算出部が、結び方情報に関連付けられたリボン結び長に基づいて、必要テープ長を算出する。このため、結び方情報取得部に結び方情報を取得させることで、当該結び方情報（リボン結びの種類）に対応した必要テープ長を容易に求めることができる。したがって、ユーザーにとっては、複数種のリボン結びを行う場合にも、種類毎に適切な必要テープ長を求めることができ、利便性を向上させることができる。
【００１６】
本発明のテープ印刷装置は、上記のテープ長算出装置と、繰出し可能にセットされたリボンテープを、繰り出して送るテープ送り部と、算出された必要テープ長のリボンテープを送るように、テープ送り部を制御する制御部と、送られていくリボンテープに対し、印刷を行う印刷部と、を備えたことを特徴とする。
【００１７】
この構成によれば、ラッピング対象物にリボン掛けおよびリボン結びをするのに必要となるリボンテープの長さを容易に求めることができるテープ長算出装置を備えたことで、リボン掛けおよびリボン結びをするのに適切な長さを有する、印刷済みのリボンテープを容易に得ることができる。
【００１８】
本発明のテープ長算出方法は、コンピューターが、ラッピング対象物にリボン掛けおよびリボン結びをするのに必要となるリボンテープの長さである必要テープ長のうち、リボン掛けに必要となるリボンテープの長さであるリボン掛け長を取得し、リボン結びに必要となるリボンテープの長さであるリボン結び長を記憶した結び長記憶部からリボン結び長を読み出し、取得したリボン掛け長および読み出したリボン結び長に基づいて、必要テープ長を算出すること特徴とする。
【００１９】
本発明のテープ長算出プログラムは、上記のテープ長算出方法をコンピューターに実行させること特徴とする。
【００２０】
この構成によれば、取得したリボン掛け長および結び長記憶部から読み出したリボン結び長に基づいて、必要テープを算出する。このため、ユーザーがリボン結び長を推測困難な場合でも、リボン掛け長を取得させることで、必要テープ長を容易に求めることができる。
【図面の簡単な説明】
【００２１】
【図１】直方体状のラッピング対象物に対するリボン掛けおよびリボン結びの具体例を示す図である。
【図２】テープ印刷装置およびテープカートリッジの斜視図である。
【図３】テープ印刷装置の制御構成を示すブロック図である。
【図４】結び長データの一例を示す図である。
【図５】必要辺データの一例を示す図である。
【図６】係数データの一例を示す図である。
【図７】図１（ｂ）に示すリボンテープに関して、テープ長算出プログラムにより必要テープ長を算出する一連の処理における画面遷移図である。
【図８】図７に続く画面遷移図である。
【図９】図１（ｃ）に示すリボンテープに関して、テープ長算出プログラムにより必要テープ長を算出する一連の処理における画面遷移図である。
【図１０】図９に続く画面遷移図である。
【図１１】直方体状ではないラッピング対象物に対してリボン掛けおよびリボン結びをするリボンテープに関して、テープ長算出プログラムにより必要テープ長を算出する一連の処理における画面遷移図である。
【図１２】図１１に続く画面遷移図である。
【発明を実施するための形態】
【００２２】
以下、添付の図面を参照しながら、本発明の一実施形態に係るテープ印刷装置について説明する。本実施形態のテープ印刷装置は、ラッピング対象物にリボン掛けおよびリボン結びをするためのリボンテープに、「Happy Birthday」といったメッセージなどを印刷するものである。
【００２３】
まず、図１を参照して、直方体状（箱形）のラッピング対象物１に対するリボン掛けおよびリボン結びの具体例について説明する。ここで、「リボン掛け」とは、ラッピング対象物１の表面に沿ってリボンテープ２を掛けることであり、図１では、リボンテープ２のうち、リボン掛け部分を塗りつぶして示す。一方、「リボン結び」とは、リボン掛けの後、リボンテープ２で結び部分を作成することであり、図１では、リボンテープ２のうち、リボン結び部分を白抜きで示す。なお、図１では、リボンテープ２に印刷されたメッセージ等は省略している。
【００２４】
図１（ａ）は、リボン掛けの種類が「横一文字掛け」、リボン結びの種類が「無し」のものである。リボン結び「無し」の場合は、結び目が無い代わりに、リボンテープ２の両端部が、粘着テープ等を介して貼り合せられる。つまり、この貼り合せ部分が、結び部分となる。なお、リボン結び「無し」は、別途作成したリボンボウを取り付ける場合などに用いられる。
【００２５】
図１（ｂ）は、リボン掛けの種類が「十字掛け」（クロス掛け）、リボン結びの種類が「シングル蝶」のものである。「シングル蝶」とは、ループが左右に１つずつできるものである。
【００２６】
図１（ｃ）は、リボン掛けの種類が「横トライアングル掛け」（Ｖ字掛け）、リボン結びの種類が「ダブル蝶」のものである。「ダブル蝶」とは、ループが左右に１つずつできるものである。
【００２７】
図２に示すように、テープ印刷装置１０は、リボンテープ２が繰出し可能に収容されたテープカートリッジ１１が装着され、テープカートリッジ１１からリボンテープ２を繰り出しながらこれに印刷を行うことで、印刷が為されたリボンテープ２を作成するものである。
【００２８】
テープ印刷装置１０に装着されるテープカートリッジ１１は、リボンテープ２と、インクリボン１２と、プラテンローラー１３と、これらを収容したカートリッジケース１４とを有している。カートリッジケース１４には、後述する印刷ヘッド３２が挿通するヘッド開口１５が上下に貫通形成されている。
【００２９】
リボンテープ２は、ラッピングに用いられる布製のものであり、繰り出し可能にテープコア１６に巻回されている。繰り出されたリボンテープ２は、カートリッジケース１４の左側壁に形成されたテープ送出口１７からカートリッジケース１４外に送り出される。
【００３０】
インクリボン１２は、リボン繰出リール１８に繰出し可能に巻回されている。繰り出されたインクリボン１２は、リボン巻取リール１９に巻き取られる。プラテンローラー１３は、ヘッド開口１５に挿通した印刷ヘッド３２に対峙するように設けられている。
【００３１】
プラテンローラー１３は、テープ印刷装置１０によって回転駆動され、印刷ヘッド３２との間に挟持したリボンテープ２およびインクリボン１２を回転送りする。
【００３２】
テープ印刷装置１０は、装置ケース２１により外殻が形成され、装置ケース２１の前半部上面には、キーボード２５が広く配設されている。装置ケース２１の後半部上面には、テープカートリッジ１１が着脱可能に装着されるカートリッジ装着部２２が凹設されている。カートリッジ装着部２２には、これを開閉する開閉蓋２３が設けられている。また、カートリッジ装着部２２の右側には、表示部２４が設けられている。
【００３３】
キーボード２５には、文字や記号等を入力・編集するための文字キー２６と、各種選択および確定処理等を行うための機能キー２７とが設けられている。機能キー２７は、表示部２４に表示されるカーソルや選択候補を上下左右に移動するカーソルキー２８、機能選択時の選択肢や、文字の入力、変換を確定する選択キー２９、後述する定長印刷を行うための定長キー３０、印刷実行を指示する印刷キー３１などから構成されている。
【００３４】
表示部２４は、例えば液晶ディスプレイで構成されており、ユーザーが、キーボード２５を用いて文字や記号等を入力する際や、各種選択肢を選択する際などに用いられる。
【００３５】
カートリッジ装着部２２には、サーマルタイプの印刷ヘッド３２と、テープカートリッジ１１内のプラテンローラー１３に係合してこれを回転させるプラテン駆動軸３３と、テープカートリッジ１１の装着を案内するガイド突起３４と、リボン巻取リール１９に係合してこれを回転させるリボン巻取駆動軸３５とがそれぞれ突設されている。
【００３６】
カートリッジ装着部２２の裏側には、プラテン駆動軸３３およびリボン巻取駆動軸３５を回転させる送りモーター３６（図３参照）が内蔵されている。また、装置ケース２１の内部には、後述する制御部４０（図３参照）などを構成する回路基板が搭載されている。
【００３７】
装置ケース２１の左側部には、上下に長いスリット状のテープ排出口３７が形成されている。テープ排出口３７は、カートリッジ装着部２２に連なっており、カートリッジ装着部２２に装着されたテープカートリッジ１１から繰り出されたリボンテープ２が、テープ排出口３７から装置外に排出される。
【００３８】
ここで、テープ印刷装置１０における一連の印刷処理について簡単に説明する。まず、ユーザーが、テープカートリッジ１１をカートリッジ装着部２２に装着する。また、ユーザーが、表示部２４で入力結果を確認しながら、キーボード２５により所望のテキストを編集する。テープ印刷装置１０は、入力内容に基づいて、印刷データを作成する。ユーザーが印刷キー３１を操作すると、テープ印刷装置１０は、プラテンローラー１３を回転駆動し、テープカートリッジ１１からリボンテープ２を繰り出すと共に、印刷データに基づいて印刷ヘッド３２を発熱駆動し、送られていくリボンテープ２に印刷（空印刷を含む）を行う。これにより、所望の印刷が為されたリボンテープ２が、テープ排出口３７から装置外に排出される。ユーザーは、排出された部分をハサミ等で切り離すことで、ラッピングに用いるリボンテープ２を得る。
【００３９】
図３を参照し、テープ印刷装置１０の制御構成について説明する。テープ印刷装置１０は、制御部４０と、表示部２４と、キーボード２５と、送りモーター３６と、印刷ヘッド３２とを備えている。これらの各構成要素は、バス４４を介して接続されている。
【００４０】
制御部４０は、ＣＰＵ４１（Central Processing Unit）と、ＲＡＭ４２（Random Access Memory）と、ＲＯＭ４３（Read Only Memory）とを有している。ＣＰＵ４１は、各種演算処理を行う。ＲＡＭ４２は、ＣＰＵ４１が各種演算処理を行う際の作業領域として用いられる。ＲＯＭ４３は、ＣＰＵ４１が演算処理を行うために用いられる制御プログラムおよび制御データを記憶している。
【００４１】
具体的には、ＲＯＭ４３は、ラッピング対象物１にリボン掛けおよびリボン結びをするのに必要となるリボンテープ２の長さ（必要テープ長）を算出するためのプログラム（テープ長算出プログラム）を記憶している。また、ＲＯＭ４３は、後述する結び長データと、必要辺データと、係数データとを記憶している。
【００４２】
図４は、結び長データの一例である。結び長データは、リボン結びの種類に関する結び方情報と、リボン結びに必要となるリボンテープ２の長さ（リボン結び長）と、を関連付けたものである。
なお、結び長データ中の数値等は一例であって、これに限定されるものではない。また、ユーザーが、各数値等を任意に変更可能な構成としてもよい。以下の各データ中の数値等についても同様である。
【００４３】
図５は、必要辺データの一例である。必要辺データは、リボン掛けの種類に関する掛け方情報と、ラッピング対象物１の幅、奥行きおよび高さの３辺のうち、リボン掛け長を算出するために必要な辺（必要辺）と、を関連付けたものである。
【００４４】
図６は、係数データの一例である。係数データは、掛け方情報と、ラッピング対象物１の寸法に対する、リボン掛けに必要となるリボンテープ２の長さ（リボン掛け長）の係数と、を関連付けたものである。
【００４５】
以下、図７ないし図１０を参照して、テープ長算出プログラムにより、必要テープ長を算出する一連の処理について説明する。なお、以下の説明では、ラッピング対象物１のサイズは「幅１０ｃｍ×奥行き１２ｃｍ×高さ９ｃｍ」であるものとする。
【００４６】
まず、ユーザーが、図１（ｂ）に示したラッピング、すなわち、リボン掛けの種類が「十字掛け」、リボン結びの種類が「シングル蝶」のラッピングを行う予定である場合について説明する。
【００４７】
ユーザーは、表示部２４に表示されたテキスト編集画面５１において、リボンテープ２に印刷する文字や記号等を入力・編集する（図７（ａ）参照）。ユーザーが、定長キー３０を操作すると、制御部４０は、印刷される（送り出される）リボンテープ２の長さを指定するための定長指定画面５２を表示部２４に表示する（図７（ｂ）参照）。
【００４８】
ユーザーが、定長指定画面５２において、「箱サイズ指定」を選択すると、制御部４０は、リボン掛けの種類を選択するための掛け方選択画面５３を表示部２４に表示する（図７（ｃ）参照）。ここでは、リボン掛けの種類が「十字掛け」であるため、ユーザーは、掛け方選択画面５３において「十字掛け」を選択する（図７（ｄ）参照）。これにより、テープ印刷装置１０は、掛け方情報を取得する（掛け方情報取得部）。
【００４９】
リボン掛けの種類が選択されると、制御部４０は、ラッピング対象物１の寸法（箱サイズ）を入力するための寸法入力画面５４を表示部２４に表示する（図８（ａ）参照）。この際、制御部４０は、ＲＯＭ４３（必要辺記憶部）に記憶されている必要辺データを参照して、入力された掛け方情報「十字掛け」に関連付けられた辺「幅×奥行き×高さ」の寸法が入力されるように、寸法入力画面５４を表示する。
【００５０】
ここでは、ラッピング対象物１のサイズが「幅１０ｃｍ×奥行き１２ｃｍ×高さ９ｃｍ」であるため、ユーザーは、寸法入力画面５４において、幅「１０」×奥「１２」×高「９」ｃｍを入力する（図８（ｂ）参照）。これにより、テープ印刷装置１０は、ラッピング対象物１の寸法を取得する（寸法取得部）。ラッピング対象物１の寸法が入力されると、制御部４０は、リボン結びの種類を指定するための結び方指定画面５５を表示部２４に表示する（図８（ｃ）参照）。ここでは、リボン結びの種類が「シングル蝶」であるため、ユーザーは、結び方指定画面５５において「シングル蝶」を選択する。これにより、テープ印刷装置１０は、結び方情報を取得する（結び方情報取得部）。
【００５１】
制御部４０は、リボン結びの種類が選択されると、表示部２４にテキスト編集画面５１を再び表示すると共に（図８（ｄ）参照）、これまでの入力内容に基づいて、必要テープ長を算出する。すなわち、制御部４０は、ＲＯＭ４３（係数記憶部）に記憶されている係数データを参照して、入力された掛け方情報「十字掛け」に関連付けられたリボン掛け長の係数として幅「２」、奥行き「２」、高さ「４」を読み出す。そして、制御部４０（掛け長取得部）は、当該係数、すなわち幅「２」、奥行き「２」、高さ「４」と、入力されたラッピング対象物１の寸法、すなわち幅「１０」ｃｍ、奥行き「１２」ｃｍ、高さ「９」ｃｍとに基づいて、次式により、リボン掛け長を算出する。
リボン掛け長＝幅×係数＋高さ×係数＝１０×２＋１２×２＋９×４＝８０（ｃｍ）
【００５２】
さらに、制御部４０（必要テープ長算出部）は、ＲＯＭ４３（結び長記憶部）に記憶されている結び長データを参照して、入力された結び方情報「シングル蝶」に関連付けられたリボン結び長「４１」ｃｍを読み出すと共に、次式により、必要テープ長を算出する。
必要テープ長＝リボン掛け長＋リボン結び長＝８０＋４１＝１２１（ｃｍ）
【００５３】
そして、ユーザーにより印刷キー３１が操作されると、制御部４０は、算出した必要テープ長の分、リボンテープ２が送られるように、送りモーター３６を制御すると共に、テキスト編集画面５１において入力・編集された文字や記号等がリボンテープ２に印刷されるように、印刷ヘッド３２を発熱駆動する。そして、テープ印刷装置１０は、所望の印刷が為されたリボンテープ２を、必要テープ長の長さ分、テープ排出口３７から排出する。ユーザーは、排出された部分をハサミ等で切り離すことで、必要テープ長を有するリボンテープ２を得る。
【００５４】
続いて、ユーザーが、図１（ｃ）に示したラッピング、すなわち、リボン掛けの種類が「横トライアングル掛け」、リボン結びの種類が「ダブル蝶」のラッピングを行う予定である場合について説明する。
【００５５】
上記と同様にして、掛け方選択画面５３が表示されると（図９（ｃ）参照）、ここでは、リボン掛けの種類が「横トライアングル掛け」であるため、ユーザーは、掛け方選択画面５３において「横トライアングル掛け」を選択する（図９（ｄ）参照）。リボン掛けの種類が選択されると、制御部４０は、ラッピング対象物１の寸法を入力するための寸法入力画面５４を表示部２４に表示する（図１０（ａ）参照）。この際、制御部４０は、ＲＯＭ４３に記憶されている必要辺データを参照して、入力された掛け方情報「横トライアングル掛け」に関連付けられた辺「幅×高さ」の寸法が入力されるように、寸法入力画面５４を表示する。
【００５６】
ここでは、ラッピング対象物１のサイズが「幅１０ｃｍ×奥行き１２ｃｍ×高さ９ｃｍ」であるため、ユーザーは、寸法入力画面５４において、幅「１０」×高さ「９」ｃｍを入力する（図１０（ｂ）参照）。ラッピング対象物１の寸法が入力されると、制御部４０は、リボン結びの種類を指定するための結び方指定画面５５を表示部２４に表示する（図１０（ｃ）参照）。ここでは、リボン結びの種類が「ダブル蝶」であるため、ユーザーは、結び方指定画面５５において「ダブル蝶」を選択する（図１０（ｄ）参照）。
【００５７】
制御部４０は、リボン結びの種類が選択されると、表示部２４にテキスト編集画面５１を再び表示すると共に（図１０（ｅ）参照）、これまでの入力内容に基づいて、必要テープ長を算出する。すなわち、制御部４０は、係数データを参照して、入力された掛け方情報「横トライアングル掛け」に関連付けられたリボン掛け長の係数として幅「５」、高さ「４」を読み出す。そして、制御部４０は、当該係数、すなわち幅「５」、高さ「４」と、入力されたラッピング対象物１の寸法、すなわち幅「１０」ｃｍ、高さ「９」ｃｍに基づいて、次式により、リボン掛け長を算出する。
リボン掛け長＝幅×係数＋高さ×係数＝１０×５＋９×４＝８６（ｃｍ）
【００５８】
さらに、制御部４０は、結び長データを参照して、入力された結び方情報「ダブル蝶」に関連付けられたリボン結び長「８１」ｃｍを読み出すと共に、次式により、必要テープ長を算出する。
必要テープ長＝リボン掛け長＋リボン結び長＝８６＋８１＝１６７（ｃｍ）
【００５９】
そして、ユーザーにより印刷キー３１が操作されると、テープ印刷装置１０は、上記と同様にして印刷処理を行い、印刷が為されたリボンテープ２を、必要テープ長の長さ分、テープ排出口３７から排出する。
【００６０】
また、詳細な説明は省略するが、ユーザーが、図１（ａ）に示したように、リボン掛けの種類が「横一文字掛け」、リボン結びの種類が「無し」のラッピングを行う予定である場合についても、上記と同様にして、必要テープ長を算出することができる。すなわち、この場合、必要テープ長は、次式により算出される。
リボン掛け長＝幅×係数＋高さ×係数＝１０×２＋９×２＝３８（ｃｍ）
必要テープ長＝リボン掛け長＋リボン結び長＝３８＋１＝３９（ｃｍ）
【００６１】
以上のように、本実施形態のテープ印刷装置１０によれば、制御部４０が、テープ長算出プログラムにより、入力されたラッピング対象物１の寸法からリボン掛け長を算出すると共に、算出したリボン掛け長およびＲＯＭ４３に記憶されたリボン結び長に基づいて、必要テープを算出する。このため、ユーザーがリボン結び長を推測困難な場合でも、ユーザーがラッピング対象物１の寸法を入力することで、必要テープ長を容易に求めることができる。したがって、リボン掛けおよびリボン結びをするのに適切な長さを有する、印刷済みのリボンテープ２を容易に得ることができる。
【００６２】
また、制御部４０は、掛け方情報に関連付けられたリボン掛け長の係数およびラッピング対象物１の寸法に基づいて、リボン掛け長を算出する。このため、ユーザーが掛け方情報およびラッピング対象物１の寸法を入力することで、当該掛け方情報（リボン掛けの種類）に対応したリボン掛け長を容易に求めることができる。したがって、ユーザーにとっては、複数種のリボン掛けを行う場合にも、種類毎に適切な必要テープ長を求めることができ、利便性を向上させることができる。特に、トライアングル掛けのように、複雑なリボン掛けを行う場合に便利である。
【００６３】
さらに、制御部４０が、リボン掛けの種類に応じて、リボン掛け長を算出するために必要な辺だけユーザーに入力させるように、寸法入力画面５４を表示部２４に表示する。このため、ラッピング対象物１の幅、奥行きおよび高さの３辺の寸法のうち、リボン掛け長を算出するために必要な辺の寸法のみ、ユーザーに入力させることができ、ユーザーの入力の手間を省くことができる。
【００６４】
また、制御部４０が、結び方情報に関連付けられたリボン結び長に基づいて、必要テープ長を算出する。このため、ユーザーが結び方情報を入力することで、当該結び方情報（リボン結びの種類）に対応した必要テープ長を容易に求めることができる。したがって、ユーザーにとっては、複数種のリボン結びを行う場合にも、種類毎に適切な必要テープ長を求めることができ、利便性を向上させることができる。特に、ダブル蝶のように、複雑なリボン結びを行う場合に便利である。
【００６５】
なお、ここまでは、ラッピング対象物１が直方体状の場合について説明したが、本発明はこれに限定されるものではなく、例えば、ラッピング対象物１がクマのぬいぐるみであって、リボンテープ２でその首回りにリボン掛けおよびリボン結びを行う場合にも、本発明を適用可能である。
【００６６】
この場合、図１１および図１２に示すように、ユーザーが、定長指定画面５２において、「周囲長指定」を選択すると（図１１（ｃ）参照）、制御部４０は、ラッピング対象物１においてリボン掛けが為される箇所の周囲長を入力するための周囲長入力画面５６を表示部２４に表示する（図１１（ｄ）参照）。
【００６７】
ここでは、クマのぬいぐるみの首回りが３０ｃｍであるとすると、ユーザーは、周囲長入力画面５６において、「３０」ｃｍを入力する（図１２（ａ）参照）。ラッピング対象物１の周囲長が入力されると、制御部４０は、リボン結びの種類を指定するための結び方指定画面５５を表示部２４に表示する（図１２（ｂ）参照）。ここでは、予定するリボン結びの種類が「シングル蝶」であるとすると、ユーザーは、結び方指定画面５５において「シングル蝶」を選択する。
【００６８】
制御部４０は、リボン結びの種類が選択されると、表示部２４にテキスト編集画面５１を再び表示すると共に（図１２（ｃ）参照）、これまでの入力内容に基づいて、必要テープ長を算出する。すなわち、制御部４０は、入力された周囲長「３０」ｃｍをリボン掛け長として取得すると共に、入力された結び方情報「シングル蝶」に関連付けられたリボン結び長「４１」ｃｍを読み出し、次式により、必要テープ長を算出する。
必要テープ長＝リボン掛け長＋リボン結び長＝３０＋４１＝７１（ｃｍ）
このように、ラッピング対象物１が直方体状ではない場合でも、ユーザーがラッピング対象物１の周囲長を入力することで、必要テープ長を容易に求めることができる。
【００６９】
また、本実施形態では、テープ印刷装置１０において、ラッピング対象物１の寸法等を入力していたが、これに限定されるものではなく、例えば、印刷アプリケーションソフトがインストールされた情報処理装置（例えば、スマートフォン）を用いて、印刷するテキスト、リボン掛けの種類、箱サイズ、リボン結びのサイズを入力して印刷データを生成し、その印刷データをテープ印刷装置１０に送信するようにしてもよい。
【００７０】
また、本実施形態では、ユーザーが選択したリボン結びの種類に基づいてテープ長を算出しているが、これに限らず、例えばリボン結びの大きさを選択あるいは入力できるようにしてもよい。また、ラッピング対象物の幅、奥行き、高さの３辺のうち少なくとも１辺の寸法に基づいてリボン結びの大きさを自動的に設定してもよい。これによって、ラッピング対象物の大きさとリボン結びの大きさのバランスを適切に設定することができ、見栄えの良いラッピングを行うことができる。
【符号の説明】
【００７１】
１：ラッピング対象物、２：リボンテープ、１０：テープ印刷装置、２４：表示部、４０：制御部
【図１】
2014180836.tif 000003
【図２】
2014180836.tif 000004
【図３】
2014180836.tif 000005
【図４】
2014180836.tif 000006
【図５】
2014180836.tif 000007
【図６】
2014180836.tif 000008
【図７】
2014180836.tif 000009
【図８】
2014180836.tif 000010
【図９】
2014180836.tif 000011
【図１０】
2014180836.tif 000012
【図１１】
2014180836.tif 000013
【図１２】
2014180836.tif 000014